(57)【要約】【課題】印刷物を取得し、または印刷物に印刷された情報を知得した第三者を特定することができる画像形成装置を提供することができる画像形成装置を提供する。【解決手段】外部機器９から要求されたプリントジョブに基づき印刷するプリント手段１３と、排紙トレイ１４の近傍に接近する人物を検知する人物検知手段１４１と、印刷物が取得されるまでの前記プリントジョブの履歴情報を管理するプリントジョブ管理手段１６と、前記排紙トレイ１４への近接者を撮影する撮像手段１４０と、前記人物検知手段１４１が近接者を検知したときの前記撮像手段１４０による撮像データとそのとき取得された印刷物の特定情報とを関連付けた取得情報を記憶する取得情報記憶手段１６を備える【選択図】図１
2008064935.tif 000002
【特許請求の範囲】
【請求項１】
外部機器から要求されたプリントジョブに基づき印刷するプリント手段と、排紙トレイの近傍に接近する人物を検知する人物検知手段と、印刷物が取得されるまでの前記プリントジョブの履歴情報を管理するプリントジョブ管理手段と、前記排紙トレイへの近接者を撮影する撮像手段と、前記人物検知手段が近接者を検知したときの前記撮像手段による撮像データとそのとき取得された印刷物の特定情報とを関連付けた取得情報を記憶する取得情報記憶手段を備える画像形成装置。
【請求項２】
前記人物検知手段が、前記撮像手段または人体検知手段で構成されている請求項１記載の画像形成装置。
【請求項３】
前記人物検知手段が、前記排紙トレイ上の印刷物を検出する用紙センサで構成されている請求項１記載の画像形成装置。
【請求項４】
前記取得情報記憶手段は、予め設定された特定のプリントジョブに対して前記取得情報を記憶する請求項１から３の何れかに記載の画像形成装置。
【請求項５】
前記取得情報記憶手段に記憶された取得情報を、対応するプリントジョブの要求元の外部機器に送信する取得情報送信手段を備える請求項１から４の何れかに記載の画像形成装置。
【請求項６】
パスワードを入力するパスワード入力手段と、前記パスワード入力手段により入力されたパスワードの正誤判別を行うパスワード判別手段を備え、前記パスワードは正であると前記パスワード判別手段が判別したとき、前記取得情報記憶手段は前記取得情報の記憶を中止する請求項１から５の何れかに記載の画像形成装置。
【発明の詳細な説明】
【技術分野】
【０００１】
本発明は、外部機器から要求されたプリントジョブに基づき印刷するプリント手段と、排紙トレイに出力された印刷物が取得されたことを検知する印刷物検知手段を備えた画像形成装置に関する。
【背景技術】
【０００２】
様々な原稿を処理する画像形成装置では、原稿に記載された情報の保護を図ることが重要である。
【０００３】
特許文献１では、出力した用紙に印刷したデータを第三者が知得することを防止するため、排出トレイ上に出力された用紙の有無を検知するセンサを備え、第三者の目に触れられたくない性質の秘密データを印刷するとき、前記センサが前記排出トレイ上に用紙がないと検知すると、当該秘密データを印刷して出力する画像形成装置が提案されている。
【０００４】
特許文献２では、それ自身が重要情報である有価証券や紙幣等の不正コピーを行ったものを特定するため、複写機と前記複写機の使用者を撮影する撮影装置を備え、前記複写機で所定のモードが設定された際に前記撮影装置により前記複写機の使用者を撮影する複写機管理システムが提案されている。
【特許文献１】特開２００４−２２１９７９号公報
【特許文献２】特開平１１−１９４６８８号公報
【発明の開示】
【発明が解決しようとする課題】
【０００５】
しかし、特許文献１に記載された画像形成装置では、印刷物の出力タイミングを調整することで第三者による秘密データの知得を防止するものであり、待ち伏せて秘密データが印刷された印刷物を取得し、または印刷物に印刷された秘密データを知得した悪意の第三者や、秘密データが印刷された印刷物が出力された後、急用などで前記印刷物を直ぐに取得できないとき等に過って前記印刷物を取得した善意の第三者を特定することができなかった。
【０００６】
また、特許文献２に記載された複写機管理システムでは、所定モードでのコピー実行時に複写機の使用者を撮影するものであり、印刷物の取得者、または印刷物に印刷された秘密データの知得者を特定することはできなかった。更に、当該システムで仮に印刷物の取得時、または印刷物に印刷された秘密データの知得時に撮影を行うように構成しても、取得者がどの印刷物を取得し、または知得者がどの印刷物に印刷された秘密データを知得したのかを特定することができなかった。
【０００７】
本発明は、上述の問題点に鑑み、印刷物を取得し、または印刷物に印刷された情報を知得した第三者を特定することができる画像形成装置を提供することを目的とする。
【課題を解決するための手段】
【０００８】
上述の目的を達成するため、本発明による画像形成装置第一の特徴構成は、特許請求の範囲の書類の請求項１に記載した通り、外部機器から要求されたプリントジョブに基づき印刷するプリント手段と、排紙トレイの近傍に接近する人物を検知する人物検知手段と、印刷物が取得されるまでの前記プリントジョブの履歴情報を管理するプリントジョブ管理手段と、前記排紙トレイへの近接者を撮影する撮像手段と、前記人物検知手段が近接者を検知したときの前記撮像手段による撮像データとそのとき取得された印刷物の特定情報とを関連付けた取得情報を記憶する取得情報記憶手段を備える点にある。
【０００９】
排紙トレイに出力された印刷物を取得し、または前記印刷物に印刷された情報を知得する人物は、排紙トレイの近傍に接近する必要があり、前記人物は前記撮像手段により撮影される。
【００１０】
上述の構成によれば、排紙トレイに出力された印刷物を取得し、または前記印刷物に印刷された情報を知得した人物が撮影された撮像データと、当該印刷物の特定情報とを関連付けた取得情報が取得情報記憶手段により記憶されるため、前記取得情報から当該印刷物を取得し、または当該印刷物に印刷された情報を知得した第三者を特定することができる。
【００１１】
同第二の特徴構成は、同請求項２に記載した通り、上述の第一特徴構成に加えて、前記人物検知手段が、前記撮像手段または人体検知手段で構成されている点にある。
【００１２】
前記撮像手段または人体検知手段は、排紙トレイの近傍に接近する人物を検知することができる。
【００１３】
上述の構成によれば、排紙トレイの近傍に接近する人物が前記人物検知手段により検知されたときに、前記撮像手段は撮影を行うため、前記排紙トレイに出力された印刷物を取得し、または印刷物に印刷された情報を知得した可能性のある人物を撮影することができる。また、前記人物検知手段を前記撮像手段で構成すると、前記人物検知手段を構成する部品を増やす必要はなく、コストを抑制することができる。
【００１４】
同第三の特徴構成は、同請求項２に記載した通り、上述の第一特徴構成に加えて、前記人物検知手段が、前記排紙トレイ上の印刷物を検出する用紙センサで構成されている点にある。
【００１５】
画像形成装置の近傍には、当該装置を操作するために、または当該装置に出力した印刷物を取得するために接近する人物が存在し、また、単に当該装置の近傍を通過する人物も存在する。
【００１６】
上述の構成によれば、排紙トレイ上の印刷物を検出する用紙センサにより、排紙トレイ上の印刷物が取得、または返却されたときに、前記撮像手段は撮影を行うため、前記排紙トレイに出力された印刷物を取得、または取得後に返却した人物を確実に撮影することができる。
【００１７】
同第四の特徴構成は、同請求項４に記載した通り、上述の第一から第三の何れかの特徴構成に加えて、前記取得情報記憶手段は、予め設定された特定のプリントジョブに対して前記取得情報を記憶する点にある。
【００１８】
上述の構成によると、前記取得情報記憶手段は、ユーザによって外部機器から要求され、予め設定された特定のプリントジョブに対して前記取得情報を記憶するため、前記特定のプリントジョブに基づいて印刷された印刷物を取得し、または前記印刷物に印刷された情報を知得した可能性のある人物を確実に特定することができる。例えば、機密情報を印刷する際に要求するプリントジョブを特定のプリントジョブとし、前記特定のプリントジョブに対してのみ前記取得情報を記憶するように構成することで、機密情報を印刷した印刷物を取得、または前記印刷物に印刷された機密情報を知得する人物以外の人物の撮影は防止され、前記取得情報を記憶する記憶媒体の容量を抑えることができる。
【００１９】
同第五の特徴構成は、同請求項５に記載した通り、上述の第一から第四の何れかの特徴構成に加えて、前記取得情報記憶手段に記憶された取得情報を、対応するプリントジョブの要求元の外部機器に送信する取得情報送信手段を備える点にある。
【００２０】
上述の構成によれば、要求したプリントジョブに基づく印刷物の取得情報が要求元の外部機器に送信されるため、当該プリントジョブを要求したユーザは、自身の要求したプリントジョブに関する取得情報の取捨選択をする必要がなく、前記取得情報の取得や確認に対する作業効率を向上させることができる。
【００２１】
同第七の特徴構成は、同請求項７に記載した通り、上述の第一から第六の何れかの特徴構成に加えて、パスワードを入力するパスワード入力手段と、前記パスワード入力手段により入力されたパスワードの正誤判別を行うパスワード判別手段を備え、前記パスワードは正であると前記パスワード判別手段が判別したとき、前記取得情報記憶手段は前記取得情報の記憶を中止する点にある。
【００２２】
上述の構成によれば、前記取得情報記憶手段は、正しいパスワードを入力したユーザが、排紙トレイに出力された印刷物を取得する際の前記取得情報の記憶を中止することができ、前記取得情報を記憶する記憶媒体の容量を抑えることができる。
【００２３】
つまり、プリントジョブを要求したユーザにパスワードを与えるように構成することで、前記プリントジョブに基づき出力された印刷物を取得する際に、前記パスワードを入力しなかったものは第三者であり、前記第三者を特定するには前記撮像手段による撮像データが必要であるが、前記パスワードを入力したものは前記プリントジョブを要求したユーザであり、前記撮像手段による撮像データは不要であるため、後者において、前記取得情報記憶手段は前記取得情報の記憶を中止するのである。
【発明の効果】
【００２４】
以上説明した通り、本発明によれば、印刷物を取得し、または印刷物に印刷された情報を知得した第三者を特定することができる画像形成装置を提供することができる画像形成装置を提供することができるようになった。
【発明を実施するための最良の形態】
【００２５】
以下に、本発明の画像形成装置としての電子写真方式のデジタル複合機における第一実施形態について説明する。
【００２６】
該デジタル複合機１は、図２に示すように、本発明における外部機器であり、パーソナルコンピュータからなる複数のクライアント９と、ネットワーク８を介して接続されている。該デジタル複合機１は、前記クライアント９から要求されたプリントジョブに基づき印刷を行い、印刷物を出力する。
【００２７】
前記クライアント９の夫々は、図３に示すように、モニタなどの表示手段９０と、キーボードやマウスなどの入力手段９１と、該デジタル複合機１にプリント要求するプリント要求手段９２と、該デジタル複合機１から送信された情報を受信して処理する受信情報処理手段９３等を備え、前記プリント要求手段９２と前記受信情報処理手段９３との機能は、夫々が備えるＣＰＵと、前記ＣＰＵの動作プログラムが格納されたＲＯＭと、作業領域となるＲＡＭなどが協働して実行する。
【００２８】
前記受信情報処理手段９３は、該デジタル複合機１から出力された情報を受信すると、当該情報を解析して、前記表示手段９０に当該情報を表示する。
【００２９】
前記プリント要求手段９２は、該デジタル複合機１にプリント出力等を要求するプリントコマンドと、例えばページ記述言語などからなる出力用の画像データの生成情報と、例えばクライアントのＩＰアドレスやクライアント名などからなる送信元のクライアント情報と、例えば前記出力用の画像データのファイル名とからなるプリントジョブを該デジタル複合機１に要求する。また、印刷物を取得し、または印刷物に印刷された情報を知得した第三者を特定したいときには、機密フラグを付加した前記プリントジョブを要求する。
【００３０】
具体的には、前記プリント要求手段９２は、前記ＲＯＭなどに記憶されたプリント要求画面データを読み出して、該デジタル複合機１にプリントジョブを要求するプリント要求画面を前記表示手段９０に表示し、ユーザは、当該プリント要求画面に対し、前記入力手段９１で入力操作を行い、前記入力内容に基づき、前記プリント要求手段９２はプリントジョブを要求する。また、前記プリント要求画面には、プリントジョブに機密フラグを付加する、例えばチェックボックス等からなる機密フラグ付加手段が配され、前記プリントジョブに基づき印刷された印刷物を取得し、または前記印刷物に印刷された情報を知得した第三者を特定したいユーザは、前記機密フラグ付加手段を予め設定することで、前記プリント要求手段９２は機密フラグを付加したプリントジョブを該デジタル複合機１に要求する。即ち、機密フラグが付加されたプリントジョブは、本発明における、予め設定された特定のプリントジョブである。
【００３１】
該デジタル複合機１は、図１に示すように、カラー表示部１００やハードウェアキー１０１等が配置された操作部１０と、ネットワーク８に接続されたクライアント９からプリントジョブを受信するネットワーク部１１と、原稿載置部１２０の原稿を読み取って生成した画像データに所定の処理を施して、または前記ネットワーク部１１が受信した前記プリントジョブを解析して出力用の画像データを生成する画像読取部１２と、本発明におけるプリント手段であり、前記画像読取部１２が生成した出力用の画像データに基づいてトナー像を形成し、前記トナー像を定着した用紙からなる印刷物を排出する電子写真方式の画像形成部１３と、前記画像形成部１３が排出した印刷物が積載される排紙トレイ１４と、被記録材である用紙が収容された給紙カセット１５と、該デジタル複合機１を統括制御するシステム制御部１６を備えて構成される。
【００３２】
該デジタル複合機１では、ネットワーク部１１によりクライアント９から要求されたプリントジョブに基づき、画像読取部１２が当該プリントジョブを解析して出力用の画像データを生成し、画像形成部１３が前記出力用画像データに基づきトナー像を形成し、更に前記トナー像を用紙に転写、定着し、前記用紙からなる印刷物を排紙トレイ１４に排出する。前記クライアントを操作して、前記プリントジョブを要求したユーザは、前記排紙トレイ１４に積載された印刷物から、自身が要求したプリントジョブに基づき印刷された印刷物を取得することができる。
【００３３】
ここで、前記操作部１０と、前記ネットワーク部１１と、前記画像読取部１２と、前記画像形成部１３とは、夫々を制御する制御部を備え、夫々の制御部と前記システム制御部１６は、ＣＰＵと、前記ＣＰＵの動作プログラムが格納されたＲＯＭと、作業領域となるＲＡＭ等を備える。また、夫々の制御部と前記システム制御部１６は、該デジタル複合機１の内部バスに接続され、夫々の情報を送受信しあうことができる。
【００３４】
ネットワーク部１１の制御部は、クライアント９からプリントジョブを受信すると、前記プリントジョブをシステム制御部１６に出力し、前記システム制御部１６は該デジタル複合機１に前記プリントジョブを実行させ、前記プリントジョブに基づき印刷して排出した印刷物が取得されるまでの前記プリントジョブの履歴情報を管理する。つまり、システム制御部１６は、本発明におけるプリントジョブ管理手段を備え、クライアント９から要求されたプリントジョブの送信元のクライアント情報と、対応するファイル名と、前記プリントジョブの受信日時などを前記プリントジョブの履歴情報として管理する。また、前記プリントジョブに機密フラグが付加されているときには、前記機密フラグも前記履歴情報として管理する。
【００３５】
排紙トレイ１４は、該デジタル複合機１の正面側に、デジタルカメラ等の静止画像撮像手段からなり、前記排紙トレイ１４の近傍を撮影する撮像手段１４０と、赤外線センサ等からなる人体検知手段１４１とを備える。前記人体検知手段１４１は、本発明における人物検知手段であり、本実施例では、図４に示すように、前記排紙トレイ１４の近傍に人体検知範囲１４３を備える。前記人体検知手段１４１は、前記人体検知範囲１４３への人物の進入を検知することで、前記排紙トレイ１４の近傍に接近する人物を検知するように構成される。更に、排紙された印刷物を積載する排紙トレイ１４の載置面に、赤外線センサ等からなり、前記排紙トレイ上の印刷物を検出する用紙センサ１４２を備える。
【００３６】
撮像手段１４０と、人体検知手段１４１と、用紙センサ１４２は、システム制御部１６により制御される。本実施例において、前記人体検知手段１４１または前記用紙センサ１４２は、赤外線の発光部と受光部とを備えた赤外線センサから構成され、前記発光部から放射された赤外線が人物、または印刷物で反射され、その反射光が前記受光部で受光されることで、人物や印刷物の存在を検知することができるように構成されている。
【００３７】
人体検知範囲１４３に人物が侵入すると、人体検知手段１４１はそれをシステム制御部１６へ出力し、前記システム制御部１６は、撮像手段１４０に撮影を行わせる。
【００３８】
システム制御部１６は、前記履歴情報に機密フラグが含まれていないときには、前記撮像データを消去し、前記履歴情報に機密フラグが含まれているときには、当該印刷物前記撮像手段１４０により撮影された撮像データとそのとき取得された印刷物、換言すると、そのとき排紙トレイ１４上に排出されていた印刷物、の特定情報とを関連付け、取得情報として記憶する。つまり、システム制御部１６は本発明における取得情報記憶手段を備える。
【００３９】
ここで、前記特定情報は、当該印刷物の出力日時と、システム制御部１６が管理するプリントジョブの履歴情報に含まれる、当該印刷物に対応するプリント出力情報のクライアント情報とファイル名とからなり、撮像手段１４０により撮影された排紙トレイ１４への近接者の撮像データと、当該印刷物の特定情報とが関連付けられ、当該印刷物の取得情報として前記システム制御部１６により記憶される。
【００４０】
ユーザの操作部１０を操作により、操作部１０の制御部は、ＲＯＭに記憶された取得情報機確認画面データを読み出し、システム制御部１６により記憶された取得情報を表示する取得情報確認画面を、前記操作部１０のカラー表示部１００に表示し、ユーザは当該取得情報を確認することで、印刷物の取得者を確認することができる。
【００４１】
詳述すると、ユーザが操作部１０のカラー表示部１００やハードウェアキー１０１等を操作すると、前記操作部１０の制御部は、ＲＯＭに記憶した取得情報確認画面データを読み出し、システム制御部１６より記憶された前記取得情報にを取得して、取得情報確認画面として前記カラー表示部１００に表示する。
【００４２】
また、システム制御部１６は、前記取得情報に含まれるクライアント情報に基づき、ネットワーク部１１を介して、対応するプリントジョブの要求元のクライアント９に前記取得情報を送信し、前記取得情報を受信したクライアント９の受信情報処理手段９３は、前記取得情報を表示手段９０に表示する。つまり、システム制御部１６は本発明における取得情報送信手段を備える。
【００４３】
排紙トレイ１４上に排出された印刷物が取得されると、用紙センサ１４２はそれをシステム制御部１６へ出力し、前記システム制御部１６は前記印刷物のプリントジョブの履歴情報を消去する。
【００４４】
以下に、クライアント９から要求されたプリントジョブに基づき印刷物が印刷されるまでの第一実施形態における該デジタル複合機１の動作について、図５のフローチャートを用いて説明する。
【００４５】
該デジタル複合機１は、クライアント９から要求されたプリントジョブを受信すると（ＳＡ１）、前記プリントジョブに基づき印刷を行い（ＳＡ２）、印刷物を排紙トレイ１４に排出し（ＳＡ３）、前記プリントジョブの履歴情報を記憶する（ＳＡ４）。
【００４６】
以下に、排紙トレイ１４に排出された印刷物が取得されるまでの第一実施形態における該デジタル複合機１の動作について、図６のフローチャートを用いて説明する。
【００４７】
人体検知範囲１４３に人物が進入すると（ＳＢ１）、排紙トレイ１４への近接者を撮影する（ＳＢ２）。
【００４８】
前記履歴情報に機密フラグが含まれていないとき（ＳＢ３）、撮影した撮像データを消去し（ＳＢ４）、前記履歴情報に機密フラグが含まれているとき（ＳＢ３）、撮影した撮像データと当該印刷物の特定情報とを関連付けた取得情報を記憶し（ＳＢ５）、更に、前記取得情報をプリントジョブ要求元のクライアント９に送信する（ＳＢ６）。
【００４９】
排紙トレイ１４から印刷物が取得されないときには（ＳＢ７）、ＳＢ１からの動作を繰り返し、排紙トレイ１４から印刷物が取得されると（ＳＢ７）、前記履歴情報を消去する（ＳＢ８）。
【００５０】
上述の第一実施形態では、排紙トレイ１４への近接者を撮影し、撮像データとそのとき取得された印刷物の特定情報とを関連付けた取得情報を記憶する構成としたが、印刷物の取得者がプリントジョブを要求したユーザであるとき、前記取得情報を記憶する必要はない。
【００５１】
以下に、プリントジョブを要求したユーザが、前記プリントジョブに基づき印刷された印刷物を取得しても前記取得情報を記憶しないように構成された第二実施形態における該デジタル複合機１の動作について説明する。ここで、該デジタル複合機１は、以下に説明する構成を除き、第一実施形態における構成と同様である。
【００５２】
クライアント９がプリントジョブを要求すると、該デジタル複合機１は、前記プリントジョブを受信し、前記プリントジョブに対応するパスワードを要求元のクライアント９に送信し、クライアント９は、表示手段９０に前記パスワードを表示する。
【００５３】
詳述すると、ネットワーク部１１を介して、クライアント９から要求されたプリントジョブを受信した該デジタル複合機１のシステム制御部１６は、予め記憶したパスワード群の１のパスワードと前記プリントジョブとを関連付けて正誤判定情報として記憶し、前記ネットワーク部１１を介して、前記プリントジョブの要求元のクライアント９に前記パスワードを送信する。前記クライアント９の受信情報処理手段９３は受信した前記パスワードを表示手段９０に表示する。
【００５４】
前記クライアント９を操作して前記プリントジョブを要求したユーザは、対応する印刷物を取得する前に、該デジタル複合機１の操作部１０を操作してカラー表示部１００にパスワード入力画面を表示し、ハードウェアキー１０１を操作して前記パスワードを入力する。つまり、前記ハードウェアキー１０１は本発明におけるパスワード入力手段である。
【００５５】
入力されたパスワードは、前記操作部１０の制御部からシステム制御部１６に出力され、前記システム制御部１６は、記憶した前記正誤判定情報に基づき、前記パスワードの正誤判定を行い、前記パスワードが正であると判別すると、前記撮像手段１４０による撮影を中止する。つまり、システム制御手段１６は本発明におけるパスワード判別手段であり、ユーザが、正しいパスワードを入力すると撮像手段１４０による撮影は行われず、その後、排紙トレイ１４から対応する印刷物を取得することで、前記取得情報は記憶されない。
【００５６】
以下に、クライアント９から要求されたプリントジョブに基づき印刷物が印刷されるまでの第二実施形態における該デジタル複合機１の動作について、図７のフローチャートを用いて説明する。
【００５７】
該デジタル複合機１は、クライアント９から要求されたプリントジョブを受信すると（ＳＣ１）、前記プリントジョブの要求元のクライアント９にパスワードを送信し（ＳＣ２）、前記パスワードを前記プリントジョブと関連付けた正誤判別情報を記憶する（ＳＣ３）。
【００５８】
続いて、前記プリントジョブに基づき印刷を行い（ＳＣ４）、対応する印刷物を排紙トレイ１４に排出し（ＳＣ５）、前記プリントジョブの履歴情報を記憶する（ＳＣ６）。
【００５９】
以下に、排紙トレイ１４に排出された当該印刷物が取得されるまでの第二実施形態における該デジタル複合機１の動作について、図８のフローチャートを用いて説明する。
【００６０】
印刷物を取得するユーザによりパスワードが入力され（ＳＤ１）、前記パスワードが正でないとき（ＳＤ２）、該デジタル複合機１は再度、ユーザからのパスワード入力を待ち受け（ＳＤ１）、前記パスワードが正であるとき（ＳＤ２）、該デジタル複合機１は排紙トレイ１４への近接者の撮影を中止する（ＳＤ３）。
【００６１】
前記パスワードが入力されず（ＳＤ１）、人体検知範囲１４３に人物が進入しなければ（ＳＤ４）、該デジタル複合機１は再度、ユーザからのパスワード入力を待ち受け（ＳＤ１）、人体検知範囲１４３に人物が進入すれば（ＳＤ４）、排紙トレイ１４への近接者を撮影する（ＳＤ５）。
【００６２】
前記撮影後（ＳＤ５）、前記履歴情報に機密フラグが含まれていないとき（ＳＤ６）、該デジタル複合機１は、撮影した撮像データを消去して（ＳＤ９）、再度、ユーザからのパスワード入力を待ち受け（ＳＤ１）、前記履歴情報に機密フラグが含まれているとき（ＳＤ６）、該デジタル複合機１は、撮影した撮像データと当該印刷物の特定情報とを関連付けた取得情報を記憶し（ＳＤ７）、更に、前記取得情報を対応するプリントジョブの要求元のクライアント９に送信する（ＳＤ８）。
【００６３】
排紙トレイ１４への近接者の撮影中止後（ＳＤ３）、または前記クライアント９への前記取得情報送信後（ＳＤ８）、前記排紙トレイ１４から印刷物が取得されると（ＳＤ１０）、記憶した前記履歴情報を消去する（ＳＤ１１）。
【００６４】
第一実施形態、及び第二実施形態において、排紙トレイ１４に排紙された印刷物に対応するプリントジョブを要求したユーザが前記印刷物を取得する前に、新たなプリントジョブが要求されると、前記排紙トレイ１４上には、先に排出された印刷物と、新たなプリントジョブに基づく印刷物が積載され、システム制御部１６は、複数のプリントジョブの履歴情報を記憶する。
【００６５】
システム制御部１６が複数の履歴情報を記憶する、換言すると、排紙トレイ１４上に印刷物が積載されている場合において、前記システム制御部１６は、人体検知範囲１４３に人物が進入すると、撮像手段１４０により撮影を行い、撮影した撮像データと、前記複数の履歴情報に基づいて前記排紙トレイ１４に積載された複数の印刷物の特定情報とを関連付けた取得情報として記憶する。これにより、排紙トレイ１４上に排出された何れかの印刷物を取得し、または前記印刷物の何れかに印刷された情報を知得する人物を特定することができる。
【００６６】
以下、別実施形態を説明する。上述した第二実施形態では、入力されたパスワードが正であると判別したとき、撮像手段１４０による撮影を中止することで、取得情報を記憶しない構成としたが、入力されたパスワードが正であると判別したときに、前記撮像手段１４０による撮影の実行の有無によらず、取得情報を記憶しないように構成することも可能である。この場合、撮像手段１４０の制御を簡略化することができる。
【００６７】
上述の第一及び第二実施形態では、記憶した取得情報を対応するプリントジョブの送信元のクライアント９に送信する構成としたが、システム制御部１６が取得情報送信手段、またはクライアント９が受信情報処理手段９３を備えず、ユーザは該デジタル複合機１を操作してのみ、前記取得情報を確認することができるように構成してもよい。この場合、前記取得情報を送受信する部位を削減でき、コストを抑制することができると共に、ネットワーク８上を流れるトラフィック料を抑え、更には、システム制御部１６やクライアント９のＣＰＵの作業負荷を軽減することができる。
【００６８】
上述の第一及び第二実施形態では、特定のプリントジョブが要求され、人体検出範囲１４３に人物が進入したとき、撮像手段１４０が撮影を行う構成としたが、特定のプリントジョブ以外のプリントジョブが要求されても、人体検出範囲１４３に人物が進入したとき、撮像手段１４０が撮影を行う構成としてもよい。この場合、特定のプリントジョブを予め設定できない場合でも印刷物を取得し、または前記印刷物に印刷された情報を知得した人物を特定することができる。
【００６９】
上述した第一及び第二実施形態では、人物検知手段は、赤外線センサからなる人体検知手段１４１により構成されたが、前記人体検知手段にかえて、前記撮像手段１４０により構成されるものであってもよい。この場合、別途、人体検知手段を備える必要はなく、コストを抑制することができる。
【００７０】
上述した第一及び第二実施形態では、人物検知手段は、赤外線センサからなる人体検知手段１４１により構成されたが、排紙トレイ１４上の用紙センサ１４２により構成するものであってもよい。この場合、別途、人体検知手段を備える必要はなく、コストを抑制することができる。また、前記排紙トレイ１４上の印刷物が取得されたときに撮像手段１４０が撮影を行うため、前記印刷物を取得した人物を確実に撮影することができる。
【００７１】
上述した第一及び第二実施形態では、撮像手段１４０はデジタルカメラ等の静止画像撮像手段から構成されるものとしたが、デジタルビデオカメラ等の動画撮像手段から構成されるものであってもよい。例えば前記動画撮像手段により排紙トレイ１４への近接者を常に撮影して動画データからなる撮像データを記憶し、人物検知手段が排紙トレイ１４への近接者を検知したときに、少なくとも前記印刷物の取得日時を前記印刷物の特定情報、更には取得情報として記憶するように構成すると、前記動画データからなる撮像データの前記印刷物の取得日時を確認することで前記印刷物を取得し、または前記印刷物に印刷された情報を知得した人物を特定することができる。
【００７２】
上述した各実施形態を、本発明による作用効果が奏される範囲で適宜組み合わせることも可能である。
【００７３】
上述の実施形態で説明した各機能ブロックは、何れも本発明の一例に過ぎず、本発明による作用効果が奏される範囲でその具体的構成を適宜変更可能なことは言うまでも無い。
【図面の簡単な説明】
【００７４】
【図１】デジタル複合機の外観図
【図２】デジタル複合機とクライアントとが接続されたネットワーク図
【図３】クライアントの機能ブロック図
【図４】人体検知範囲の説明図
【図５】第一実施形態の説明に用いるフローチャート
【図６】第一実施形態の説明に用いるフローチャート
【図７】第二実施形態の説明に用いるフローチャート
【図８】第二実施形態の説明に用いるフローチャート
【符号の説明】
【００７５】
１：デジタル複合機
１０：操作部
１１：ネットワーク部
１２：画像読取部
１３：プリント手段（画像形成部）
１４：排紙トレイ
１６：プリントジョブ管理手段、取得情報記憶手段、取得情報送信手段（システム制御部）
１４０：撮像手段（デジタルカメラ）
１４１：人体検知手段、人物検知手段（赤外線センサ）
１４２：用紙センサ（赤外線センサ）
【図１】
2008064935.tif 000003
【図２】
2008064935.tif 000004
【図３】
2008064935.tif 000005
【図４】
2008064935.tif 000006
【図５】
2008064935.tif 000007
【図６】
2008064935.tif 000008
【図７】
2008064935.tif 000009
【図８】
2008064935.tif 000010